(57)【要約】      （修正有）【課題】持ち運びや収納が容易となる、脚が折畳み可能な物載せ台を提供する。【解決手段】載置盤１０と、軸支板２１と、前記載置盤１０の底部に複数の対を構成するように設置される少なくとも４つの取り付け具２０と、底部ロッド３１と、その両端から上方へ向かって延設すると共に、上部から他方の側部ロッド３２へ向かって枢軸３２１が延設される側部ロッド３２と、前記取り付け具２０と対応する脚３０と、を備える。さらに、前記各脚３０は、各枢軸３２１の端部が枢設孔に貫設されるように一対の取り付け具２０に取り付けられ、前記２つの側部ロッド３２の上部は、起立開口と折畳み開口のいずれかに配置して構成する。【選択図】図１
0003155995.tif 000002
【実用新案登録請求の範囲】
【請求項１】
載置盤（１０）と、
枢設孔（２１１）が形成された軸支板（２１）と、該軸支板（２１）の周縁から横方向へ向かって延設される複数のプレート部とを有する、前記載置盤（１０）の底部に複数の対を構成するように設置される少なくとも４つの取り付け具（２０）と、
底部ロッド（３１）と、該底部ロッド（３１）の両端からそれぞれ上方へ向かって延設すると共に、上部からそれぞれ他方の側部ロッド（３２）の上部へ向かって枢軸（３２１）が延設される側部ロッド（３２）とを有する、前記取り付け具（２０）の対数と対応する数の脚（３０）と、を備え、
前記取り付け具（２０）における複数のプレート部は、開口を有する収容空間を取り囲むように構成されると共に、それらのプレート部の間に起立開口（２５）と折畳み開口（２６）が形成され、各対の取り付け具（２０）は、枢軸板が平行となるように互いに対向すると共に、収容空間の開口が外側を向き、更に起立開口（２５）が下方を向き、且つ折畳み開口（２６）が載置盤（１０）の内側を向くように載置盤（１０）に設置され、
前記各脚（３０）は、各枢軸（３２１）が対応する取り付け具（２０）における収容空間に設置されると共に、該枢軸（３２１）の端部が枢設孔（２１１）に貫設されるように一対の取り付け具（２０）に取り付けられ、前記２つの側部ロッド（３２）の上部は、前記起立開口（２５）と折畳み開口（２６）のいずれかに位置されることを特徴とする折畳み式物載せ台。
【請求項２】
前記軸支板（２１）の周縁から横方向へ向かって端部板（２３）と、位置決め板（２４）と、前記載置盤（１０）の底部に固設される固定板（２２）とが延設され、その内、位置決め板（２４）は、軸支板（２１）に連結される底辺（２４１）と、端部板（２３）に隣接し且つ端部板（２３）との間に前記起立開口（２５）が形成される第１側辺（２４２）と、該固定板（２２）に隣接し且つ固定板（２２）との間に前記折畳み開口（２６）が形成される第２側辺（２４３）とを有することを特徴とする請求項１に記載の折畳み式物載せ台。
【請求項３】
前記取り付け具（２０）における第１側辺（２４２）が底辺（２４１）に対して直角を成すと共に、前記第２側辺（２４３）が底辺(２４１)に対して鋭角を成すことを特徴とする請求項２に記載の折畳み式物載せ台。
【請求項４】
前記各脚（３０）の枢軸（３２１）における、枢設孔（２１１）を通過する位置に環状溝（３２１１）が形成されると共に、該環状溝（３２１１）にスナップリング（３３）が装着されることを特徴とする請求項１乃至３の何れか１項に記載の折畳み式物載せ台。
【請求項５】
前記脚（３０）における各側部ロッド（３２）が底部ロッド（３１）に対して鋭角を成すことを特徴とする請求項４に記載の折畳み式物載せ台。
【考案の詳細な説明】
【技術分野】
【０００１】
本考案は、特に脚が折畳み可能な物載せ台に関するものである。
【背景技術】
【０００２】
物載せ台は家庭でよく利用される家具であり、従来の物載せ台は、物を載せるための載置盤と、該載置盤の下方に設置され、載置盤を一定の高さに支持する脚とを有するものであり、該載置盤によれば、物を載せることにより、物を片付けることができると共に、空間をより有効的に利用することができる。
【先行技術文献】
【特許文献】
【０００３】
【特許文献１】登録実用新案第３１４０２２９号公報
【考案の開示】
【考案が解決しようとする課題】
【０００４】
しかしながら、従来の物載せ台の脚は、例えば溶接などの手段により、取り外しができないようにまたは折畳みができないように載置盤に固設されることから、体積が大きいので、持ち運びや収納が非常に不便であった。
【０００５】
そこで、案出されたのが本考案であって、脚を折畳み可能な物載せ台を提供することを目的としている。
【課題を解決するための手段】
【０００６】
本願の請求項１の考案は、載置盤（１０）と、
枢設孔（２１１）が形成された軸支板（２１）と、該軸支板（２１）の周縁から横方向へ向かって延設される複数のプレート部とを有する、前記載置盤（１０）の底部に複数の対を構成するように設置される少なくとも４つの取り付け具（２０）と、
底部ロッド（３１）と、該底部ロッド（３１）の両端からそれぞれ上方へ向かって延設すると共に、上部からそれぞれ他方の側部ロッド（３２）の上部へ向かって枢軸（３２１）が延設される側部ロッド（３２）とを有する、前記取り付け具（２０）の対数と対応する数の脚（３０）と、を備え、
前記取り付け具（２０）における複数のプレート部は、開口を有する収容空間を取り囲むように構成されると共に、それらのプレート部の間に起立開口（２５）と折畳み開口（２６）が形成され、各対の取り付け具（２０）は、枢軸板が平行となるように互いに対向すると共に、収容空間の開口が外側を向き、更に起立開口（２５）が下方を向き、且つ折畳み開口（２６）が載置盤（１０）の内側を向くように載置盤（１０）に設置され、
前記各脚（３０）は、各枢軸（３２１）が対応する取り付け具（２０）における収容空間に設置されると共に、該枢軸（３２１）の端部が枢設孔（２１１）に貫設されるように一対の取り付け具（２０）に取り付けられ、前記２つの側部ロッド（３２）の上部は、前記起立開口（２５）と折畳み開口（２６）のいずれかに位置されることを特徴とする折畳み式物載せ台、を提供する。
【０００７】
本願の請求項２の考案は、前記軸支板（２１）の周縁から横方向へ向かって端部板（２３）と、位置決め板（２４）と、前記載置盤（１０）の底部に固設される固定板（２２）とが延設され、その内、位置決め板（２４）は、軸支板（２１）に連結される底辺（２４１）と、端部板（２３）に隣接し且つ端部板（２３）との間に前記起立開口（２５）が形成される第１側辺（２４２）と、該固定板（２２）に隣接し且つ固定板（２２）との間に前記折畳み開口（２６）が形成される第２側辺（２４３）とを有することを特徴とする請求項１に記載の折畳み式物載せ台、を提供する。
【０００８】
本願の請求項３の考案は、前記取り付け具（２０）における第１側辺（２４２）が底辺（２４１）に対して直角を成すと共に、前記第２側辺（２４３）が底辺(２４１)に対して鋭角を成すことを特徴とする請求項２に記載の折畳み式物載せ台、を提供する。
【０００９】
本願の請求項４の考案は、前記各脚（３０）の枢軸（３２１）における、枢設孔（２１１）を通過する位置に環状溝（３２１１）が形成されると共に、該環状溝（３２１１）にスナップリング（３３）が装着されることを特徴とする請求項１乃至３の何れか１項に記載の折畳み式物載せ台、を提供する。
【００１０】
本願の請求項５の考案は、前記脚（３０）における各側部ロッド（３２）が底部ロッド（３１）に対して鋭角を成すことを特徴とする請求項４に記載の折畳み式物載せ台、を提供する。
【考案の効果】
【００１１】
本考案は上記の課題を解決するものであり、脚における側部ロッドの上部が起立開口に位置する時、脚は載置盤に対して垂直の状態であるのに対し、側部ロッドの上部が折畳み開口に位置する時、脚は載置盤に対して平行となり折畳んだ状態を保持する。この構成によれば、該脚を回転させることにより、脚を起立状態或いは折畳み状態に変更できることから、物載せ台を折畳めば、体積を小さくすることができるので、持ち運びや収納がし易くなるだけでなく、より小さな空間に物載せ台を収納することができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る物載せ台の第１実施例において、脚を起立させた状態を示す斜視図であり、図２は本考案に係る物載せ台の第１実施例を示す部分分解斜視図であり、図３は本考案に係る物載せ台おける取り付け具の拡大斜視図であり、図４は本考案に係る物載せ台の第１実施例において、側部ロッドを外側へ折り曲げた状況を示す側面図であり、図５は本考案に係る物載せ台の第１実施例における、脚の折畳み時の状態を示す正面図であり、図６は本考案に係る物載せ台の第２実施例において、脚を起立させた状態を示す斜視図である。
【００１４】
図１乃至図３及び図６に示すように、本考案に係る折畳み式物載せ台は、載置盤（１０）（１０Ａ）と、４つの取り付け具（２０）と、２つの脚（３０）とを備え、その内、載置盤（１０）（１０Ａ）は、図１に示す第１実施例においては矩形を、図６に示す第２実施例においては三角形を呈するが、物を載せられる形であれば如何なる形状でもよい。
【００１５】
前記取り付け具（２０）は、枢設孔（２１１）が形成された軸支板（２１）と、該軸支板（２１）の周縁から横方向に向かって延設される固定板（２２）と端部板（２３）と位置決め板（２４）とを有し、該固定板（２２）、端部板（２３）と位置決め板（２４）はそれぞれ、開口を有する収容空間を取り囲むように構成され、その内、位置決め板（２４）は、軸支板（２１）の周縁に所定の範囲に亘って設けられる底辺（２４１）と、該底辺（２４１）に対して直角を成す第１側辺（２４２）と、該底辺（２４１）に対して鋭角を成す第２側辺（２４３）とを有すると共に、該第１側辺（２４２）は、端部板（２３）に隣接し且つ端部板（２３）との間に起立開口（２５）が形成され、該第２側辺（２４３）は、固定板（２２）に隣接し且つ固定板（２２）との間に折畳み開口（２６）が形成される。
【００１６】
前記４つの取り付け具（２０）は、固定板（２２）を例えば、溶接等の手段により載置盤（１０）に接合することにより、該載置盤（１０）の底部に対を２つ構成するように設置されると共に、該各対の取り付け具（２０）は、軸支板（２１）が平行となるように互いに対向すると共に、収容空間の開口が外側を向き、更に、起立開口（２５）が下方を向き、且つ折畳み開口（２６）が載置盤（１０）の内側を向くように設置される。また、図１に示す本考案の第１実施例においては、各取り付け具（２０）がそれぞれ載置盤（１０）の４つ角に配置されるのに対し、図６に示す本考案の第２実施例においては、該各取り付け具（２０）がそれぞれ載置盤（１０Ａ）の両辺に配置される。
【００１７】
前記脚（３０）は、一対の取り付け具（２０）に取り付けられるものであり、底部ロッド（３１）と、該底部ロッド（３１）の両端から上方へ向かって延設される２つの側部ロッド（３２）とを有し、該２つの側部ロッド（３２）の上部は、前記起立開口（２５）と折畳み開口（２６）のいずれかに位置されると共に、該上部から他方の側部ロッド（３２）の上部へ向かって環状溝（３２１１）が形成される枢軸（３２１）が延設され、該環状溝（３２１１）にスナップリング（３３）が装着される。
【００１８】
尚、前記脚（３０）を一対の取り付け具（２０）に取り付ける時は、先ず脚（３０）における各枢軸（３２１）を、対応する取り付け具（２０）の収容空間に外側から位置させ、次に環状溝（３２１１）が枢設孔（２１１）を穿通するように枢軸（３２１）を該枢設孔（２１１）に挿入した後、該環状溝（３２１１）に前記スナップリング（３３）を装着すればよい。これにより、必要に応じて前記２つの側部ロッド（３２）の上部を起立開口（２５）或いは折畳み開口（２６）へ位置させることができる。
図４及び図５に示すように、脚（３０）における側部ロッド（３２）の上部が起立開口（２５）に位置する時は、該脚（３０）が載置盤（１０）に対して垂直な状態となるので、物載せ台を脚（３０）における底部ロッド（３１）で支持するように床などの上に設置して使用することができる。そして、物載せ台の脚（３０）を折畳みたい時は、先ず側部ロッド（３２）の上部を外側へ引っ張りだし起立開口（２５）から離脱させ、次に脚（３０）を回転させれば、側部ロッド（３２）の上部が折畳み開口（２６）に入って位置決めされるので、脚（３０）を載置盤（１０）に対して平行な状態に折畳むことができる。尚、本考案においては、枢軸（３２１）にスナップリング（３３）が装着されているので、枢軸（３２１）の取り付け具（２０）からの脱落を防止することができる。また、再び脚（３０）を展開し起立させたい時は、脚（３０）の側部ロッド（３２）を外側へ引っ張り出し、逆方向に回転させれば、側部ロッド（３２）が位置決め板（２４）における斜面を呈する第２側辺（２４３）に沿って滑動し起立開口（２５）に入るので、簡単に脚（３０）を起立状態に変更することができる。
【産業上の利用可能性】
【００１９】
本考案は上記の構成を有することから、脚を起立状態或いは折畳み状態に自由に変更することができるので、持ち運びが非常に楽であると共に、不用時には、脚を折畳んで収納するできるので、物載せ台の収納空間が小さくてすむ。
【図面の簡単な説明】
【００２０】
【図１】本考案に係る物載せ台の第１実施例において、脚を起立させた状態を示す斜視図である。
【図２】本考案に係る物載せ台の第１実施例を示す部分分解斜視図である。
【図３】本考案に係る物載せ台おける取り付け具の拡大斜視図である。
【図４】本考案に係る物載せ台の第１実施例において、側部ロッドを外側へ折り曲げた状況を示す側面図である。
【図５】本考案に係る物載せ台の第１実施例における、脚の折畳み時の状態を示す正面図である。
【図６】本考案に係る物載せ台の第２実施例において、脚を起立させた状態を示す斜視図である。
【符号の説明】
【００２１】
１０、１０Ａ    載置盤
２０            取り付け具
２１            軸支板
２１１          枢設孔
２２            固定板
２３            端部板
２４            位置決め板
２４１          底辺
２４２          第１側辺
２４３          第２側辺
２５            起立開口
２６            折畳み開口
３０            脚
３１            底部ロッド
３２            側部ロッド
３２１          枢軸
３２１１        環状溝
３３            スナップリング
【図１】
0003155995.tif 000003
【図２】
0003155995.tif 000004
【図３】
0003155995.tif 000005
【図４】
0003155995.tif 000006
【図５】
0003155995.tif 000007
【図６】
0003155995.tif 000008